(57)【要約】【課題】補助ディジタルデータ信号が挿入されたコンポジット映像信号をコンポーネント映像信号に変換する映像信号処理装置において、補助ディジタルデータ信号を抽出する際の誤判定を抑制するとともに、映像信号処理装置の回路規模の増大を抑制する。【解決手段】映像信号処理装置１は、補助ディジタルデータ信号が挿入されたコンポジット映像信号をコンポーネント映像信号に変換する装置である。映像信号処理装置１は、バーストロッククロック信号によりサンプリングされたコンポーネント映像信号をリサンプリングする際に、リサンプリング後のサンプリング周波数をコンポジットビデオ信号の水平同期周波数の逓倍に設定された第１の周波数ｆＣＫＬとするか、又は、補助ディジタルデータ信号の周波数の逓倍に設定された第２の周波数ｆＣＫＶとするかを選択可能とした。【選択図】図１
2008271167.tif 000002
【特許請求の範囲】
【請求項１】
補助ディジタルデータ信号が挿入されたコンポジット映像信号をコンポーネント映像信号に変換する映像信号処理装置であって、
前記コンポジット映像信号のカラーサブキャリア周波数を逓倍したバーストロッククロック信号によりサンプリングされたコンポジット映像信号から、前記バーストロッククロック信号によりサンプリングされたコンポーネント映像信号を復調するコンポーネント映像信号復調部と、
前記コンポーネント映像信号のサンプリング周波数を、前記コンポジットビデオ信号の水平同期周波数を逓倍した第１の周波数、又は、前記補助ディジタルデータ信号の周波数を逓倍した第２の周波数に選択的に変換するリサンプリング部と、
を備える映像信号処理装置。
【請求項２】
前記補助ディジタルデータ信号は、前記コンポジットビデオ信号の垂直帰線期間に含まれるＶＢＩデータ信号である請求項１に記載の映像信号処理装置。
【請求項３】
前記リサンプリング部に対して変換後のサンプリング周波数の切り替えタイミングを指示するためのタイミング信号を生成するタイミング信号生成部をさらに備える請求項１又は２に記載の映像信号処理装置。
【請求項４】
前記タイミング信号生成部は、前記補助ディジタルデータ信号の挿入位置を特定可能な基準信号を前記コンポジット映像信号から検出したことに応じて前記タイミング信号を出力する請求項３に記載の映像信号処理装置。
【請求項５】
前記コンポーネント映像信号復調部は、Ｙ／Ｃ分離処理と色復調処理を実行するものであり、前記補助ディジタルデータ信号の挿入区間を含む所定の区間において前記Ｙ／Ｃ分離処理を停止する請求項１乃至４のいずれかに記載の映像信号処理装置。
【請求項６】
前記所定の区間は垂直帰線期間である請求項５に記載の映像信号処理装置。
【請求項７】
前記リサンプリング部によって前記補助ディジタルデータ信号周波数の逓倍周波数でリサンプリングされたコンポーネント映像信号から、前記補助ディジタルデータ信号を抽出する補助ディジタルデータ抽出部をさらに備える請求項１乃至６のいずれかに記載の映像信号処理装置。
【請求項８】
ディジタル映像信号のサンプリング周波数を変換するリサンプリング装置であって、
前記ディジタル映像信号のサンプリング周波数を、前記ディジタル映像信号の水平同期周波数を逓倍した第１の周波数、又は、前記ディジタル映像信号の垂直帰線期間に挿入された補助ディジタルデータ信号の周波数を逓倍した第２の周波数に選択的に変換するリサンプリング手段と、
前記補助ディジタルデータ信号の挿入位置を特定可能な基準信号を検出したことに応じて、前記リサンプリング部に対してサンプリング周波数の切り替えを指示する指示手段と、
を備えるリサンプリング装置。
【発明の詳細な説明】
【技術分野】
【０００１】
本発明は、コンポジット映像信号をコンポーネット映像信号に変換する映像信号処理装置に関し、特に、コンポジット映像信号に挿入された補助ディジタルデータの抽出のために映像信号のサンプリング周波数の変換を行う映像信号処理装置に関する。
【背景技術】
【０００２】
コンポジット映像信号を高画質で再生するために、コンポジット映像信号をコンポーネント映像信号に変換する際の信号処理、具体的にはＹ／Ｃ分離処理及び色復調処理用の動作クロック信号には、カラーバースト信号に同期したバーストロッククロックが用いられる。バーストロッククロックは、カラーバースト周波数（つまりカラーサブキャリア周波数）ｆＳＣを４倍や８倍等に逓倍したクロック信号である。
【０００３】
一方、プログレッシブ変換処理などの走査線単位で行われる映像信号処理のために映像信号をＩＴＵ−Ｒ ＢＴ．６０１フォーマット等でディジタル出力する場合の動作クロックには、水平同期信号に同期したラインロッククロックが用いられる。例えば、ＮＴＳＣ方式の場合にラインロッククロックの周波数を水平同期周波数ｆＨの９１０倍や１８２０倍等とすれば、９１０ｆＨは４ｆＳＣに等しいから、バーストロッククロックの周波数と同一にできる。しかしながら、ＩＴＵ−Ｒ ＢＴ．６０１に定められたディジタルビデオ信号のサンプリング周波数は１３．５ＭＨｚであるから、ＮＴＳＣ方式の場合は８５８ｆＨであり、ＰＡＬ方式の場合は８６４ｆＨとなる。したがって、像信号をＩＴＵ−Ｒ ＢＴ．６０１フォーマット等でディジタル出力する場合のラインロッククロックの周波数は、ＮＴＳＣ方式であれば８５８ｆＨ又はその逓倍周波数、ＰＡＬ方式であれば８６４ｆＨ又はその逓倍周波数とする必要がある。
【０００４】
このため、アナログコンポジット映像信号からコンポーネント映像信号を復調してディジタル出力するまでの一連の映像信号処理を行う映像信号処理装置は、受信したアナログコンポジット映像信号をバーストロッククロックによってサンプリングし、サンプリングされたコンポジット映像信号に対するＹ／Ｃ分離処理及び色復調処理を行った後に、バーストロッククロックでサンプリングされた映像信号のサンプリング周波数をラインロッククロックの周波数に変換するリサンプリングが必要である。
【０００５】
また、放送局から送出されるアナログコンポジット映像信号には、補助ディジタルデータ（auxiliary digital data）信号が挿入される場合がある。具体的には、ＮＲＺ（Non Return to Zero）符号化されたＥＰＧ（Electronic Program Guide）データや、文字放送データ、テレテキストデータ等がコンポジット映像信号の垂直帰線期間（ＶＢＩ：Vertical Blanking Interval）に挿入される。以下、本明細書では、ＶＢＩに挿入される補助ディジタルデータ信号を総称してＶＢＩデータ信号と呼ぶ。ＶＢＩには、ＶＢＩデータ信号と併せて、ＶＢＩデータ信号とのビット同期を確立するためのＣＲＩ（clock Run-In）信号と、フレーム同期を確立するためのフレーミングコード（ＦＲＣ）も挿入される。
【０００６】
バーストロッククロックによりサンプリングされたコンポジット映像信号又はコンポーネント映像信号からＶＢＩデータ信号を抽出するＶＢＩデータ抽出装置（いわゆるＶＢデータスライサ）が従来知られている。しかしながら、バーストロッククロックやラインロッククロックの周波数は、ＩＴＵ−Ｒ ＢＴ．６５３、ＥＴＳ３００−７０６又はＡＲＩＢ ＳＤＴ−Ｂ５等に規格化されたＶＢＩデータの信号周波数の逓倍ではない。ＶＢＩデータの抽出を精度良く行うためには、アイ開口が大きいデータシンボルの中心位置でビット判定を行うことが望ましく、ＶＢＩデータ信号の抽出元となるコンポジット映像信号又はコンポーネント映像信号のサンプリング周波数は、ＶＢＩデータの信号周波数の逓倍であることが望ましい。
【０００７】
特許文献１には、ＶＢＩデータの抽出に使用されるＶＢＩデータ抽出用クロック信号を、ＣＲＩ（Clock Run-In）信号に位相同期したクロック信号として生成するクロック生成回路が開示されている。
【特許文献１】特開平８−２２３５４５号公報
【発明の開示】
【発明が解決しようとする課題】
【０００８】
特許文献１に開示されたクロック生成回路等によって生成されるＶＢＩデータ信号に同期したＶＢＩデータ抽出用クロックを用いて映像信号をサンプリングし、ＶＢＩデータの抽出を行うことで、ＶＢＩデータ抽出時の符号誤りの発生を抑制できることが期待される。しかしながら、特許文献１に開示されたようなＶＢＩデータ抽出用クロック信号を生成するクロック生成回路及びアナログコンポジット映像信号をＶＢＩデータ抽出用クロックでサンプリングするＡ／Ｄコンバータを映像信号処理装置に新たに追加すると回路規模が増大するという問題がある。
【課題を解決するための手段】
【０００９】
本発明にかかる映像信号処理装置は、ＥＰＧデータ、文字放送データ又はテレテキストデータ等の補助ディジタルデータ信号が挿入されたコンポジット映像信号をコンポーネント映像信号に変換する装置であり、バーストロッククロック信号によりサンプリングされたコンポーネント映像信号をリサンプリングする際に、リサンプリング後のサンプリング周波数をコンポジットビデオ信号の水平同期周波数の逓倍に設定された第１の周波数とするか、又は、補助ディジタルデータ信号の周波数の逓倍に設定された第２の周波数とするかを選択可能とした。
【００１０】
このような構成により、補助ディジタルデータ信号周波数の逓倍クロック（補助ディジタルデータ抽出用クロック）でサンプリングされた映像信号を得るリサンプリング処理回路と、水平同期周波数の逓倍クロック（ラインロッククロック）でサンプリングされた映像信号を得るリサンプリング処理回路とを共通化できる。したがって、特許文献１に開示されているような補助ディジタルデータ抽出用クロック信号を生成するクロック生成回路及びアナログコンポジット映像信号を補助ディジタルデータ抽出用クロックでサンプリングするＡ／Ｄコンバータを映像信号処理装置に新たに追加する必要がない。
【発明の効果】
【００１１】
本発明は、補助ディジタルデータ信号が挿入されたコンポジット映像信号をコンポーネント映像信号に変換する映像信号処理装置において、補助ディジタルデータ信号を抽出する際の誤判定の抑制に寄与するとともに、映像信号処理装置の回路規模の増大を抑制することができる。
【発明を実施するための最良の形態】
【００１２】
以下では、本発明を適用した具体的な実施の形態について、図面を参照しながら詳細に説明する。各図面において、同一要素には同一の符号が付されており、説明の明確化のため、必要に応じて重複説明は省略される。
【００１３】
実施の形態１．
本実施の形態にかかる映像信号処理装置１は、入力されたアナログコンポジット映像信号をディジタルコンポーネント映像信号に変換して出力するとともに、アナログコンポジット映像信号の垂直帰線期間（ＶＢＩ）に挿入されたＶＢＩデータの抽出を行う。図１は、本実施の形態にかかる映像信号処理装置１の構成を示すブロック図である。なお、以下の説明では、コンポジットビデオ信号に挿入されている各種同期信号（カラーバースト信号、水平同期信号、垂直同期パルス、ＣＲＩ信号等）の定義などの周知の事項についての詳細な説明を省略するが、これらの信号の挿入位置は図２により明らかにされている。図２は、ＮＴＳＣ方式のコンポジット映像信号の信号波形をＶＢＩデータが挿入される垂直帰線期間を中心に示した図面である。
【００１４】
図１において、Ａ／Ｄコンバータ１０は、入力されたアナログコンポジット映像信号をバーストロッククロックＣＫＢでサンプリングし、ディジタル信号として出力する。なお、バーストロッククロックＣＫＢは、アナログコンポジット映像信号の水平帰線期間に含まれるカラーバースト信号に同期したクロック信号であり、映像信号処理装置１の各部を動作させるための動作クロックとして使用される。オーバーサンプリングのために、バーストロッククロックＣＫＢの周波数は、カラーサブキャリア周波数ｆＳＣの４倍や８倍に設定される。例えば、ＮＴＳＣ方式の場合、４ｆＳＣは１４．３ＭＨｚであり、これは水平周波数の９１０倍、つまり９１０ｆＨである。また、ＰＡＬ方式の場合、４ｆＳＣは１７．７ＭＨｚであり、これは水平周波数の１１３５倍、つまり１１３５ｆＨである。
【００１５】
Ｙ／Ｃ分離部１１は、バーストロッククロックによりサンプリングされたコンポジットビデオ信号を入力し、これを輝度信号Ｙと色信号Ｃに分離する。Ｙ／Ｃ分離部１１には、２次元コムフィルタや３次元コムフィルタが使用される。また、Ｙ／Ｃ分離部１１は、垂直帰線期間に挿入されたＶＢＩデータの抽出のために、垂直帰線期間におけるＹ／Ｃ分離を停止して入力信号をそのまま輝度信号Ｙとして出力する。
【００１６】
色復調部１２は、Ｙ／Ｃ分離部１１によって分離された色信号Ｃを入力し、色差信号Ｃｒ及びＣｂを復調する。なお、ＮＴＳＣ方式、ＰＡＬ方式等の信号方式によって色信号Ｃの変調方法が異なる。このため、映像信号処理装置１が複数の異なる信号方式に準拠した映像信号を取り扱う場合は、色復調部１２は、入力信号に応じて変調方式を選択できる構成であってもよい。
【００１７】
リサンプリング部１３は、バーストロッククロックＣＫＢによりサンプリングされているディジタルコンポーネント映像信号、つまりＹ／Ｃ分離部１１によって分離された輝度信号Ｙ並びに色復調部１２により復調された色差信号Ｃｒ及びＣｂを入力し、これらのサンプリング周波数を変換する。さらに、リサンプリング部１３は、変換後のサンプリング周波数をラインロッククロックＣＫＬの周波数とするか又はＶＢＩデータ抽出用クロックＣＫＶの周波数とするかを選択可能である。
【００１８】
より具体的に述べると、リサンプリング部１３は、ディジタルコンポーネント映像信号の中でＶＢＩデータが挿入されている期間のリサンプリングをＶＢＩデータ抽出用クロックＣＫＶの周波数で行い、その他の期間のリサンプリングをラインロッククロックＣＫＬの周波数で行う。ここで、ラインロッククロックＣＫＬは、アナログコンポジット映像信号の水平帰線期間に含まれる水平同期信号に同期した信号であり、水平同期周波数ｆＨの２倍以上の整数倍とされる。
【００１９】
ここで、ラインロッククロックＣＫＬは、例えば、ＩＴＵ−Ｒ ＢＴ．６０１勧告に準拠したサンプリング周波数と等しく１３．５ＭＨｚとされる。１３．５ＭＨｚは、ＮＴＳＣ方式の水平同期周波数ｆＨの８５８倍（８５８ｆＨ）に相当し、ＰＡＬ方式の水平同期周波数ｆＨの８６４倍（８６４ｆＨ）に相当する。
【００２０】
また、ＶＢＩデータ抽出用クロックＣＫＶは、ＣＲＩ信号及びＶＢＩデータ信号に同期したクロック信号であり、ＣＲＩ信号及びＶＢＩデータ信号の信号周波数の２倍以上の整数倍とされる。例えば、ＮＴＳＣ方式の場合、ＶＢＩデータ抽出用クロックＣＫＶの周波数は、水平同期周波数ｆＨの３６４倍（３６４ｆＨ）に設定される。また、ＰＡＬ方式の場合、ＶＢＩデータ抽出用クロックＣＫＶの周波数は、水平同期周波数ｆＨの４４４倍（４４４ｆＨ）に設定される。
【００２１】
リサンプリング部１３の出力信号のサンプリング周波数の切り替え、言い換えると、リサンプリング部１３におけるサンプリング周波数の変換比率の切り替えは、セレクタ２３より入力される位相情報に従って行われる。リサンプリング部１３によるリサンプリング処理の詳細及びリサンプリング部１３の具体的な構成例などは後述する。
【００２２】
出力処理部１４は、ラインロッククロックＣＫＬでリサンプリングされてメモリ（不図示）に保存されているデータディジタルコンポーネント映像信号（Ｙ、Ｃｒ、Ｃｂ）のデータをラインロッククロックＣＫＬで読み出して出力する。
【００２３】
ＶＢＩデータ抽出部１５は、リサンプリング部１３より出力されるＶＢＩデータ抽出用クロックＣＫＶでサンプリングされた輝度信号Ｙを入力し、垂直帰線期間の所定の位置（例えば、図２の例であれば、垂直帰線期間の第１２〜１４ライン）に挿入されたＶＢＩデータを抽出する。ＶＢＩデータ信号は、ＮＲＺ符号化されたパルス信号として垂直帰線期間に挿入されているため、ＶＢＩデータ抽出用クロックＣＫＶ、ＶＢＩデータ信号の信号周波数の整数倍でサンプリングされたデータを入力し、スライスレベルを基準とするビット判定を行うことでＶＢＩデータを容易に抽出することができる。
【００２４】
カラーバースト位相検出部１６は、コンポジット映像信号に含まれるカラーバースト信号の位相を検出して保持する。バーストロッククロック生成部１７は、カラーバースト位相検出部１６により検出されたカラーバースト位相をもとにカラーバースト信号に位相同期したバーストロッククロックＣＫＢを生成する。バーストロッククロック生成部１７により生成されたバーストロッククロックＣＫＢがＡ／Ｄコンバータ１０、Ｙ／Ｃ分離部１１、色復調部１２及びリサンプリング部１３に供給され、これら各部の動作クロックとして利用される。
【００２５】
水平同期（Ｈｓｙｎｃ）位相検出部１８は、コンポジット映像信号に含まれる水平同期信号の位相を検出して保持する。水平同期位相カウンタ１９は、１カウント当りの加算値の大きさがラインロッククロックＣＫＬとバーストロッククロックＣＫＢとの周波数比率に応じて決定されており、バーストロッククロックＣＫＢによってカウントアップされる。つまり、水平同期位相カウンタ１９の出力は、バーストロッククロックＣＫＢによるサンプリング点と、ラインロッククロックＣＫＬによるサンプリング点との位相差を示す位相情報となる。また、水平同期位相カウンタ１９は、ラインロッククロックＣＫＬの１周期で桁あふれ（オーバーフロー）が発生する。
【００２６】
ラインロッククロック生成部２０は、水平同期位相カウンタ１９より出力される位相情報を利用して、水平同期信号に位相同期したラインロッククロックＣＫＬを生成する。
【００２７】
ＶＢＩデータ位相検出部２１は垂直帰線期間に挿入されたＣＲＩ信号やフレーミングコードからＶＢＩデータ信号の位相を検出して保持する。ＶＢＩデータ位相カウンタ２２は、１カウント当りの加算値の大きさがＶＢＩデータ抽出用クロックＣＫＶとバーストロッククロックＣＫＢとの周波数比率に応じて決定されており、バーストロッククロックＣＫＢによってカウントアップされる。つまり、ＶＢＩデータ位相カウンタ２２の出力は、バーストロッククロックＣＫＢによるサンプリング点と、ＶＢＩデータ抽出用クロックＣＫＶによるサンプリング点との位相差を示す位相情報となる。また、ＶＢＩデータ位相カウンタ２２は、ＶＢＩデータ抽出用クロックＣＫＶの１周期で桁あふれ（オーバーフロー）が発生する。
【００２８】
セレクタ２３は、水平同期位相カウンタ１９が出力する位相情報及びＶＢＩデータ位相カウンタ２２が出力する位相情報のうちいずれか一方を選択してリサンプリング部１３に供給する。セレクタ２３の出力信号は、タイミング生成部２４が出力する位相情報切替信号に応じて切り替えられる。
【００２９】
タイミング生成部２４は、ＶＢＩデータが挿入されているＶＢＩデータ挿入期間（図２の例であれば、垂直帰線期間の第１２〜１４ライン）の挿入位置を特定する基準信号を検出する。そして、基準信号を検出したタイミング生成部２４は、ＶＢＩデータが挿入されているＶＢＩデータ挿入期間（図２の例であれば、垂直帰線期間の第１２〜１４ライン）を含む期間において、ＶＢＩデータ位相カウンタ２２の出力値がセレクタ２３の出力に選択されるように、位相情報切替信号を出力する。位相情報切替信号は、例えば図２に示すように、ＶＢＩデータ挿入期間において論理Ｈｉｇｈレベルとし、それ以外の期間において論理Ｌｏｗレベルとする２値信号とすればよい。
【００３０】
続いて、リサンプリング部１３の構成例について説明する。ディジタル信号のサンプリング周波数を変更するリサンプリング部１３は、内挿処理を行うディジタル・フィルタにより実現可能である。具体的には、例えば、図３に示すようなＦＩＲ（Finite Impulse Response）フィルタを用いた内挿フィルタにより構成することができる。図３は、９タップのＦＩＲフィルタを示している。図３において、遅延素子１０１乃至１０８は、バーストロッククロックＣＫＢによって動作し、入力信号（図３では、輝度信号Ｙ）を遅延させる回路である。乗算器１１１乃至１１９は、９つのタップ点の値をフィルタ係数生成部１２０により出力されるフィルタ係数と乗算する。
【００３１】
フィルタ係数生成部１２０は、セレクタ２３より入力される位相情報を利用して、乗算器１１１乃至１１９に適用されるフィルタ係数を生成する。具体的には、フィルタ係数生成部１２０は、ｓｉｎｃ関数等の標本化関数（窓関数）によって基準となるフィルタ係数を生成する。さらに、フィルタ係数生成部１２０は、位相情報によって示されるラインロッククロックＣＫＬ又はＶＢＩデータ抽出用クロックＣＫＶによるサンプリング点とバーストロッククロックＣＫＢによるサンプリング点との位相差に応じて、生成した基準となるフィルタ係数の遅延補正を行う。これらの処理によって、フィルタ係数生成部１２０は、位相差に応じた内挿点を得るためのフィルタ係数を生成する。
【００３２】
なお、フィルタ係数生成部１２０は、位相差に応じて適用すべきフィルタ係数群を予め不揮発性メモリ（不図示）に保持しておき、位相情報に応じて適用すべきフィルタ係数を不揮発性メモリ（不図示）から読み出して乗算器１１１乃至１１９に供給してもよい。このとき、不揮発性メモリ（不図示）に予め保持しておくフィルタ係数群は、例えば、バーストロッククロックＣＫＢによるサンプリング点の間を８等分した各内挿点を得るための８通りのフィルタ係数群としてもよい。この場合、フィルタ係数生成部１２０は、入力される位相情報に応じて、８通りのフィルタ係数群から最も適した１のフィルタ係数を選択すればよい。
【００３３】
乗算器１１１乃至１１９の出力は、加算器１３０によって加算される。ラッチレジスタ１４０は、位相情報により示される水平同期位相カウンタ１９又はＶＢＩデータ位相カウンタ２２の桁上がりのタイミングで加算器１３０の出力データを取り込む。水平同期位相カウンタ１９又はＶＢＩデータ位相カウンタ２２の桁上がりのタイミングを示すタイミング信号は、位相情報をモニタするオーバーフロー検出部１５０によって生成されてラッチレジスタ１４０に入力される。
【００３４】
図３のように構成されたリサンプリング部１３は、バーストロッククロックＣＫＢによるサンプリング点を用いた内挿処理によって、ラインロッククロックＣＫＬ又はＶＢＩデータ抽出用クロックＣＫＶによるサンプリング点の信号値を得ることができる。また、図３に示したリサンプリング部１３は、入力される位相情報が切り替わることによって、出力データのサンプリング周波数を、ラインロッククロックＣＫＬ又はＶＢＩデータ抽出用クロックＣＫＶに切り替えることができる。なお、図３は、輝度信号Ｙのリサンプリングを行う回路を示しているが、色差信号Ｃｒ及びＣｂに対するリサンプリング回路も図３と同様に構成することができる。なお、図３に示したリサンプリング部１３の構成例は一例に過ぎないことはもちろんである。例えば、リサンプリング部１３はＩＩＲ（Infinite Impulse Response）型の内挿フィルタとしてもよい。
【００３５】
図４は、映像信号処理装置１に入力されるコンポジット映像信号がＰＡＬ方式の信号である場合に、リサンプリング部１３によってリサンプリングされる前後の信号波形を示したものである。図４の波形（ａ）は、バーストロッククロックＣＫＢを示している。図４では、バーストロッククロックＣＫＢの周波数は４ｆＳＣである。図４の波形（ｂ）は、カラーバースト信号である。波形（ｂ）の白丸は、バーストロッククロックＣＫＢによるサンプリング点を示している。
【００３６】
図４の波形（ｃ）は、リサンプリング部１３によるリサンプリング前、つまり、バーストロッククロックＣＫＢでサンプリングされた水平同期信号を示している。一方、図４の波形（ｄ）は、リサンプリング部１３によりリサンプリングされた後の水平同期信号を示している。つまり、波形（ｄ）の黒丸で示すサンプリング点は、ラインロッククロックＣＫＬでサンプリングされたサンプリング点である。
【００３７】
図４の波形（ｅ）は、水平同期位相カウンタ１９から出力される水平同期位相情報を示している。波形（ｅ）の立ち下がりは、水平同期位相カウンタ１９の桁上がりのタイミングを示している。リサンプリング部１３による内挿値の出力は、この桁上がりタイミングで行われる。なお、図４のＰＡＬ方式の例では、ラインロッククロックＣＫＬの周波数ｆＣＫＬとバーストロッククロックＣＫＢの周波数ｆＣＫＢとの比率は、ｆＣＫＬ：ｆＣＫＢ＝864：（1135＋4／625）＝0.76123：1である。従って、水平同期位相カウンタ１９は、バーストロッククロックＣＫＢ毎に０．７６１２３ずつカウントアップさせればよい。
【００３８】
図４の波形（ｆ）は、コンポジットビデオ信号においてＶＢＩデータの前に挿入されているＣＲＩ信号を示している。波形（ｆ）の白丸は、バーストロッククロックＣＫＢでのサンプリング点である。一方、図４の波形（ｇ）は、リサンプリング部１３によりリサンプリングされた後のＣＲＩ信号を示している。つまり、波形（ｇ）の黒丸で示すサンプリング点は、ＶＢＩデータ抽出用クロックＣＫＶでサンプリングされたサンプリング点である。
【００３９】
図４の波形（ｈ）は、ＶＢＩデータ位相カウンタ２２から出力されるＶＢＩデータ位相情報を示している。波形（ｈ）の立ち下がりは、ＶＢＩデータ位相カウンタ２２の桁上がりのタイミングを示している。リサンプリング部１３による内挿値の出力は、この桁上がりタイミングで行われる。図４の例では、ＶＢＩデータ抽出用クロックＣＫＶの周波数ｆＣＫＶは、ＶＢＩデータ信号周波数の２倍である。この場合、ＶＢＩデータ抽出用クロックＣＫＶの周波数ｆＣＫＶとバーストロッククロックＣＫＢの周波数ｆＣＫＢとの比率は、ｆＣＫＶ：ｆＣＫＢ＝444：（1135＋4／625）＝0.39118：1である。従って、ＶＢＩデータ位相カウンタ２２は、バーストロッククロックＣＫＢ毎に０．３９１１８ずつカウントアップさせればよい。
【００４０】
上述したように、本実施の形態にかかる映像信号処理装置１は、ディジタル映像信号のサンプリング周波数をバーストロッククロックＣＫＢからラインロッククロックＣＫＬに変換するリサンプリング部１３が、ＶＢＩデータ挿入期間においてＶＢＩデータ抽出用クロックＣＫＶへの変換動作を行うよう構成されている。より具体的に述べると、映像信号処理装置１は、タイミング生成部２４が出力する位相情報切替信号によってセレクタ２３を制御している。これにより、リサンプリング部１３に入力される位相情報が、ＶＢＩデータ挿入期間においてＶＢＩデータ位相カウンタ２２が出力する位相情報となり、それ以外の期間では、水平同期位相カウンタ１９が出力する位相情報となる。このような構成によって、映像信号処理装置１は、回路規模を増大させることなく、ＶＢＩデータの抽出時の誤判定を抑制することができる。
【００４１】
なお、上述した映像信号処理装置１は、アナログコンポジット映像信号を入力してＡ／Ｄコンバータ１０によりサンプリングする構成としたが、外部の記憶装置に保持されたディジタルコンポジット映像信号を入力するよう構成してもよい。この場合は、Ａ／Ｄコンバータ１０は不要である。また、図４を用いての具体例の説明はＰＡＬ方式について行ったが、本発明は、ＮＴＳＣやＳＥＣＡＭ等の他の方式にも当然に適用可能である。
【００４２】
さらに、本発明は上述した実施の形態のみに限定されるものではなく、既に述べた本発明の要旨を逸脱しない範囲において種々の変更が可能であることは勿論である。
【図面の簡単な説明】
【００４３】
【図１】実施の形態１にかかる映像信号処理装置のブロック図である。
【図２】実施の形態１にかかる映像信号処理装置に入力されるコンポジット映像信号を示す図である。
【図３】実施の形態１にかかる映像信号処理装置が有するリサンプリング部の構成例を示す図である。
【図４】実施の形態１にかかる映像信号処理装置に関するディジタル映像信号の信号波形図である。
【符号の説明】
【００４４】
１  映像信号処理装置
１０  Ａ／Ｄコンバータ
１１  Ｙ／Ｃ分離部
１２  色復調部
１３  リサンプリング部
１４  出力処理部
１５  ＶＢＩデータ抽出部
１６  カラーバースト位相検出部
１７  バーストロッククロック生成部
１８  水平同期位相検出部
１９  水平同期位相カウンタ
２０  ラインロッククロック生成部
２１  ＶＢＩデータ位相検出部
２２  ＶＢＩデータ位相カウンタ
２３  セレクタ
２４  タイミング生成部
１０１乃至１０８  遅延素子
１１１乃至１１９  乗算器
１２０  フィルタ係数生成部
１３０  加算器
１４０  ラッチレジスタ
１５０  オーバーフロー検出部
【図１】
2008271167.tif 000003
【図２】
2008271167.tif 000004
【図３】
2008271167.tif 000005
【図４】
2008271167.tif 000006